【手続補正書】
【提出日】令和2年9月4日(2020.9.4)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
第１制御手段と、
前記第１制御手段から受信した制御情報に応じて制御を行う第２制御手段と、
導出を許容する表示結果を決定する事前決定手段と、
前記事前決定手段の決定結果に応じた情報を報知可能な第１報知手段と、
前記事前決定手段の決定結果に応じた情報を報知可能な第２報知手段と、
特定状態に制御可能な状態制御手段とを備え、
前記特定状態において報知条件が成立しており、かつ前記事前決定手段の決定結果が所定決定結果であるときに、前記第１報知手段および前記第２報知手段はいずれも該所定決定結果に応じた情報を報知し、
前記特定状態において前記報知条件が成立しておらず、かつ前記事前決定手段の決定結果が前記所定決定結果であるときに、前記第１報知手段および前記第２報知手段はいずれも該所定決定結果に応じた情報を報知せず、
前記特定状態において前記報知条件が成立しており、かつ前記事前決定手段の決定結果が特定決定結果であるときに、前記第１報知手段は該特定決定結果に応じた情報を報知しない一方、前記第２報知手段は該特定決定結果に応じた情報を報知し、
前記第１制御手段は、
制御情報を生成し、制御情報格納領域に格納する制御情報生成手段と、
前記制御情報格納領域に格納された制御情報を前記第２制御手段に対して送信する制御情報送信手段と、を含み、
前記制御情報生成手段は、１単位の遊技である単位遊技における第１タイミングと第２タイミングを含む複数のタイミング毎に前記第１制御手段の制御状態を特定可能な複数種類の状態制御情報を生成する状態制御情報生成手段を含み、
前記状態制御情報生成手段が一のタイミングにおいて生成する複数種類の状態制御情報は、一の単位遊技と他の単位遊技で変化し得る制御状態であって、一の単位遊技における第１タイミングと第２タイミングで変化しない制御状態を特定可能な第１状態制御情報と、一の単位遊技における第１タイミングと第２タイミングで変化し得る制御状態を特定可能な第２状態制御情報と、を含み、
前記状態制御情報生成手段は、複数のタイミングのうちいずれのタイミングにおいても、共通する複数種類の状態制御情報を、共通の制御にて生成する、スロットマシン。
【手続補正２】
【補正対象書類名】明細書
【補正対象項目名】０００９
【補正方法】変更
【補正の内容】
【０００９】
（Ａ）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
第１制御手段と、
前記第１制御手段から受信した制御情報に応じて制御を行う第２制御手段と、
導出を許容する表示結果を決定する事前決定手段と、
前記事前決定手段の決定結果に応じた情報を報知可能な第１報知手段と、
前記事前決定手段の決定結果に応じた情報を報知可能な第２報知手段と、
特定状態に制御可能な状態制御手段とを備え、
前記特定状態において報知条件が成立しており、かつ前記事前決定手段の決定結果が所定決定結果であるときに、前記第１報知手段および前記第２報知手段はいずれも該所定決定結果に応じた情報を報知し、
前記特定状態において前記報知条件が成立しておらず、かつ前記事前決定手段の決定結果が前記所定決定結果であるときに、前記第１報知手段および前記第２報知手段はいずれも該所定決定結果に応じた情報を報知せず、
前記特定状態において前記報知条件が成立しており、かつ前記事前決定手段の決定結果が特定決定結果であるときに、前記第１報知手段は該特定決定結果に応じた情報を報知しない一方、前記第２報知手段は該特定決定結果に応じた情報を報知し、
前記第１制御手段は、
制御情報を生成し、制御情報格納領域に格納する制御情報生成手段と、
前記制御情報格納領域に格納された制御情報を前記第２制御手段に対して送信する制御情報送信手段と、を含み、
前記制御情報生成手段は、１単位の遊技である単位遊技における第１タイミングと第２タイミングを含む複数のタイミング毎に前記第１制御手段の制御状態を特定可能な複数種類の状態制御情報を生成する状態制御情報生成手段を含み、
前記状態制御情報生成手段が一のタイミングにおいて生成する複数種類の状態制御情報は、一の単位遊技と他の単位遊技で変化し得る制御状態であって、一の単位遊技における第１タイミングと第２タイミングで変化しない制御状態を特定可能な第１状態制御情報と、一の単位遊技における第１タイミングと第２タイミングで変化し得る制御状態を特定可能な第２状態制御情報と、を含み、
前記状態制御情報生成手段は、複数のタイミングのうちいずれのタイミングにおいても、共通する複数種類の状態制御情報を、共通の制御にて生成する。
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
導出を許容する表示結果を決定する事前決定手段（たとえば、内部抽選）と、
前記事前決定手段の決定結果に応じた情報（たとえば、対応手順）を報知可能な第１報知手段（たとえば、メイン側のナビ報知で用いられる遊技補助表示器１２）と、
前記事前決定手段の決定結果に応じた情報（たとえば、対応手順）を報知可能な第２報知手段（たとえば、サブ側のナビ演出で用いられる液晶表示器５１）と、
特定状態（たとえば、有利ＲＴであるＲＴ３）に制御可能な状態制御手段とを備え、
前記特定状態において報知条件が成立しており（ＡＴに制御されている）、かつ前記事前決定手段の決定結果が所定決定結果（押し順ベルまたは押し順リプの当選）であるときに、前記第１報知手段および前記第２報知手段はいずれも該所定決定結果に応じた情報を報知し（たとえば、図８に示すように、ＡＲＴ中に押し順ベルまたは押し順リプが当選したときには、メイン側およびサブ側で対応手順を報知し）、
前記特定状態において前記報知条件が成立しておらず、かつ前記事前決定手段の決定結果が前記所定決定結果であるときに、前記第１報知手段および前記第２報知手段はいずれも該所定決定結果に応じた情報を報知せず（たとえば、図８に示すように、落待ち状態中に押し順ベルまたは押し順リプが当選したときには、メイン側およびサブ側はいずれも対応手順を報知せず）、
前記特定状態において前記報知条件が成立しており、かつ前記事前決定手段の決定結果が特定決定結果（たとえば、ＢＡＲ揃いリプまたはＢＡＲ聴牌リプの当選）であるときに、前記第１報知手段は該特定決定結果に応じた情報を報知しない一方、前記第２報知手段は該特定決定結果に応じた情報を報知し（たとえば、図８に示すように、ＡＲＴ中にＢＡＲ揃いリプまたはＢＡＲ聴牌リプが当選したときには、メイン側で対応手順を報知しない一方サブ側で対応手順を報知し）、
前記特定状態において前記報知条件が成立しておらず、かつ前記事前決定手段の決定結果が特定決定結果であるときに、前記第１報知手段は該特定決定結果に応じた情報を報知しない一方、前記第２報知手段は該特定決定結果に応じた情報を報知する（たとえば、図８に示すように、落待ち状態中にＢＡＲ揃いリプまたはＢＡＲ聴牌リプが当選したときには、メイン側で対応手順を報知しない一方サブ側で対応手順とは異なる手順を報知する）。